(57)【要約】      （修正有）【課題】ハンドマッサージャーを提供する。【解決手段】ハウジング、エアバッグアセンブリ２、複数のエアバルブ３、エアポンプ４、ＰＣＢ基板５及び電池６を備え、エアポンプ、ＰＣＢ基板及び電池アセンブリはハウジング内に組み立てられ、複数のエアバルブはエアポンプに接続され、エアバルブ、エアポンプ及び電池アセンブリがＰＣＢ基板に接続され、ハウジングは前後に貫通しているマッサージスペースを有し、エアバッグアセンブリは指エアバッグ、上部エアバッグ２２及び下部エアバッグを含み、指エアバッグ２１はエアバルブに接続されて且つハウジングのマッサージスペースの前端に設置され、４つのＵ字型構造の指マッサージ部を有し、上部エアバッグ及び下部エアバッグはそれぞれ２つのマッサージ部を含み、それぞれ１つのエアバルブに接続され、Ｓ字型で互い違いに膨張する２組の第１膨張部及び第２膨張部で構成される。【選択図】図１
0003225727.tif 000002
【実用新案登録請求の範囲】
【請求項１】
ハンドマッサージャーであって、ハウジング、エアバッグアセンブリ、複数のエアバルブ、エアポンプ、ＰＣＢ基板及び電池を備え、前記エアポンプ、ＰＣＢ基板及び電池アセンブリはハウジング内に組み立てられ、複数のエアバルブはエアポンプに接続され、エアバルブ、エアポンプ及び電池アセンブリはＰＣＢ基板に接続され、前記ハウジングは前後に貫通しているマッサージスペースを有し、前記エアバッグアセンブリは指エアバッグ、上部エアバッグ及び下部エアバッグを含み、指エアバッグはエアバルブに接続されて且つハウジングのマッサージスペースの前端に設置され、４つのＵ字型構造の指マッサージ部を有し、前記上部エアバッグ及び下部エアバッグはそれぞれ少なくとも２つのマッサージ部を含み、各マッサージ部はそれぞれ１つのエアバルブに接続され、上部エアバッグと下部エアバッグのマッサージ部はＳ字型で互い違いに膨張する２組の第１膨張部及び第２膨張部で構成されることを特徴とするハンドマッサージャー。
【請求項２】
前記指エアバッグは膨張部及び前記指マッサージ部を含み、膨張部はエアバルブに接続され、指マッサージ部は膨張部と連通することを特徴とする請求項１に記載のハンドマッサージャー。
【請求項３】
前記上部エアバッグ及び下部エアバッグはそれぞれ指部、中間部、及び手首部を含み、上部エアバッグの中間部と、下部エアバッグの指部と、手首部とはＳ字型の第１膨張部を形成し、同時に膨張し又は収縮し、上部エアバッグの指部と、手首部と、下部エアバッグの中間部とは、第２膨張部を形成し、同時に膨張し又は収縮することを特徴とする請求項１に記載のハンドマッサージャー。
【請求項４】
前記上部エアバッグ及び下部エアバッグはそれぞれ指部、中間部、及び手首部を含み、下部エアバッグに手のひら部及び虎口エアバッグが更に設けられ、虎口エアバッグと下部エアバッグは別々に設置又は一体に設置され、上部エアバッグの中間部と、下部エアバッグの指部と、手首部とはＳ字型の第１膨張部を形成し、同時に膨張し又は収縮し、上部エアバッグの指部と、虎口エアバッグと、下部エアバッグの中間部とがＳ字型の第２膨張部を形成し、同時に膨張し又は収縮することを特徴とする請求項１に記載のハンドマッサージャー。
【請求項５】
前記ハウジングの左右両側にマッサージスペースと外部とを連通する親指差し込み口がそれぞれ設けられ、前記エアバッグアセンブリは親指エアバッグを更に含み、各親指差し込み口内に１つの親指エアバッグがそれぞれ嵌合され、２つの親指エアバッグはエアバルブにそれぞれ接続されることを特徴とする請求項１に記載のハンドマッサージャー。
【請求項６】
前記マッサージスペース内に前記エアバッグアセンブリを被覆する布カバーが更に設けられることを特徴とする請求項１に記載のハンドマッサージャー。
【考案の詳細な説明】
【技術分野】
【０００１】
本考案はマッサージャーの技術分野に関し、特にハンドマッサージャーに関する。
【背景技術】
【０００２】
現代の生活リズムの加速化に伴い、人々の生活行動はますます忙しくなり、アマチュアスポーツに長い間参加していない場合、身体機能は徐々に低下し、特に、指で作業する場合、人が指を長い間使用すると痛みを引き起こし、作業効率に影響を与えるだけでなく、手に一定の損傷をもたらす可能性がある。
【０００３】
多くの人がマッサージで健康管理をすることを好むが、一般的に、背中、肩又は足などの部位のマッサージを重視して、手のマッサージを無視する場合が多い。実際、手は健康に非常に大きな影響を与え、非常に敏感なホログラフィック胚であり、両手をマッサージするのは全身をマッサージするようなものである。所謂「１０本の指は心に繋がっている」とは、手を鍛えると脳と全身の健康の両方を促進することができることである。私たちの手には３００以上の経穴があり、毎日暇な時、ハンドマッサージを行うことで、経絡の気の流れを良好にし、健康上の利点を達成することができ、非常に簡単で操作しやすい。科学的ハンドマッサージは、人体の健康面の病気を治療又は緩和することもできるため、人体に手をマッサージすることには多くの利点がある。これに基づいて、ハンドマッサージャーは長年に亘る中国の経穴記憶の臨床実践を基礎として、局所刺激による神経末端への選択的刺激作用が発生し、局所及び反射効果を生み出し、局所筋肉組織、関節痛を緩和し、様々な慢性疼痛を軽減し、リラックスさせ、ストレスを軽減し、健康を維持するため、ますます多くの人に好まれている。
【０００４】
従来技術では、多くのマッサージ手袋があるが、これらのマッサージ手袋のほとんどは、手のひらの部分にいくつかの隆起を備えていて、これらの隆起を介して経穴又は筋肉に強い刺激を形成することにより、マッサージ効果を高めるが、マッサージ部分が制限され、機能が単一で、快適性が十分ではなく、手と指のマッサージ全体を満たすことができないことは明らかであり、マッサージ手袋をセットで購入する必要があり、コストが高くなる。
【考案の概要】
【考案が解決しようとする課題】
【０００５】
本考案は、従来のハンドマッサージャーの欠陥を克服するために、構造がコンパクトで、使用が容易で且つマッサージ効果が良好なハンドマッサージャーを提供することを目的とする。
【課題を解決するための手段】
【０００６】
上記目的を達成するために、本考案の技術案は、以下の通りである。
ハンドマッサージャーであって、ハウジング、エアバッグアセンブリ、複数のエアバルブ、エアポンプ、ＰＣＢ基板及び電池を備え、前記エアポンプ、ＰＣＢ基板及び電池アセンブリはハウジング内に組み立てられ、複数のエアバルブはエアポンプに接続され、エアバルブ、エアポンプ及び電池アセンブリはＰＣＢ基板に接続され、前記ハウジングは前後に貫通しているマッサージスペースを有し、前記エアバッグアセンブリは指エアバッグ、上部エアバッグ及び下部エアバッグを含み、指エアバッグはエアバルブに接続されて且つハウジングのマッサージスペースの前端に設置され、４つのＵ字型構造の指マッサージ部を有し、前記上部エアバッグ及び下部エアバッグはそれぞれ少なくとも２つのマッサージ部を含み、各マッサージ部はそれぞれ１つのエアバルブに接続され、上部エアバッグと下部エアバッグのマッサージ部はＳ字型で互い違いに膨張する２組の第１膨張部及び第２膨張部で構成される。
【０００７】
さらに、前記親指エアバッグは膨張部及び前記指マッサージ部を含み、膨張部はエアバルブに接続され、指マッサージ部は膨張部と連通する。
【０００８】
さらに、前記上部エアバッグ及び下部エアバッグはそれぞれ指部、中間部、及び手首部を含み、上部エアバッグの中間部と、下部エアバッグの指部と、手首部とはＳ字型の第１膨張部を形成し、同時に膨張し又は収縮し、上部エアバッグの指部と、手首部と、下部エアバッグの中間部とは、第２膨張部を形成し、同時に膨張し又は収縮し、第１膨張部と第２膨張部は互い違いに膨張する。マッサージ時に、Ｓ字型の空気入れエアバッグが手を押し付け、手が伸ばされる。
【０００９】
さらに、前記下部エアバッグに手のひら部及び虎口エアバッグが更に設けられ、虎口エアバッグと下部エアバッグは別々に設置又は一体に設置され、上部エアバッグの中間部と、下部エアバッグの指部と、手首部とはＳ字型の第１膨張部を形成し、同時に膨張し又は収縮し、上部エアバッグの指部と、虎口エアバッグと、下部エアバッグの中間部とがＳ字型の第２膨張部を形成し、同時に膨張し又は収縮し、第１膨張部と第２膨張部は互い違いに膨張し、マッサージ時に、Ｓ字型の膨張したエアバッグによって手が押圧され、手が伸ばされる。
【００１０】
さらに、前記ハウジングの左右両側にマッサージスペースと外部とを連通する親指差し込み口がそれぞれ設けられ、前記エアバッグアセンブリは親指エアバッグを更に含み、各親指差し込み口内に１つの親指エアバッグがそれぞれ嵌合され、２つの親指エアバッグはエアバルブにそれぞれ接続される。
【００１１】
さらに、マッサージの快適性を高めるために、前記マッサージスペース内に前記エアバッグアセンブリを被覆する布カバーが更に設けられ、マッサージ時に、手は布カバーに接触する。
【考案の効果】
【００１２】
上記の技術案を採用した後、本考案によるハンドマッサージャーはエアバッグアセンブリを指エアバッグ、上部エアバッグ及び下部エアバッグに分割し、さらに、該エアバッグアセンブリは親指エアバッグ及び虎口エアバッグを更に含み、マッサージスペースの前端に設けられた４つのＵ字型構造の指マッサージ部が膨張する時に小指、薬指、中指、人差し指を覆い、４つの指をそれぞれマッサージし、マッサージ位置は標的となり、且つマッサージ効果が良好で、上部エアバッグ、下部エアバッグ及び／又は虎口エアバッグはＳ字型で互い違いに膨張する第１膨張部及び第２膨張部を形成して手のひら全体及び手を押し付けマッサージし、手を伸ばし、より良好なマッサージ効果を果たす。ハウジングの両側にともに親指差し込み口が設けられ、右手と左手の両方に同時に適用でき、使用しやすい。本考案によるハンドマッサージャーは指、手のひら、手の甲及び手首を同時にマッサージすることができ、手の広範囲のマッサージを達成し、且つマッサージ効果が良好である。
【図面の簡単な説明】
【００１３】
【図１】本考案の部分構造分解図である。
【図２】本考案のエアバッグアセンブリをハウジングに組み立てる構造模式図である。
【図３】本考案の手のひらエアバッグの第１の好ましい実施例の動作模式図１である。
【図４】本考案手のひらエアバッグの第１の好ましい実施例の動作模式図２である。
【図５】本考案の手のひらエアバッグの第２の好ましい実施例の動作模式図１である。
【図６】本考案の手のひらエアバッグの第２の好ましい実施例の動作模式図２である。
【考案を実施するための形態】
【００１４】
本考案の技術案を更に解釈するために、以下、具体的な実施例によって本考案を詳細に説明する。
【００１５】
図１及び図２に示すように、本考案はハンドマッサージャーを開示し、ハウジング１、エアバッグアセンブリ２、複数のエアバルブ３、エアポンプ４、ＰＣＢ基板５及び電池６を備える。
【００１６】
前記ハウジング１は内部ハウジング１１及び外部ハウジング（図は例示である）を含み、前記外部ハウジングは内部ハウジング１１の外周に嵌合され、外部ハウジングと内部ハウジング１１との間に取付スペース１２が形成され、前記エアポンプ４、ＰＣＢ基板５及び電池アセンブリ６が該取付スペース１２内に組み立てられ、複数のエアバルブ３がエアポンプ４に接続され、エアバルブ３、エアポンプ４及び電池アセンブリ６がＰＣＢ基板５に接続される。
【００１７】
前記エアバッグアセンブリ２は指エアバッグ２１、上部エアバッグ２２、下部エアバッグ２３、親指エアバッグ２４及び虎口エアバッグ２５を含み、前記指エアバッグ２１は膨張部２１１及び膨張部を接続する４つのＵ字型構造の指マッサージ部２１２を含み、前記上部エアバッグ２２は指部２２１、中間部２２２、及び手首部２２３を含み、下部エアバッグ２３は指部２３１、中間部２３２、手首部２３３及び手のひら部２３４を含む。
【００１８】
前記内部ハウジング１１は前後に貫通しているマッサージスペース１３を有し、該内部ハウジング１の左右両側にマッサージスペース１３と外部とを連通する親指差し込み口１４がそれぞれ設けられ、各親指差し込み口１４内に１つの親指エアバッグ２４がそれぞれ嵌合され、２つの親指エアバッグ２４はエアバルブ３にそれぞれ接続され、前記マッサージスペース１１には各親指差し込み口１４の後端の底面に１つの虎口エアバッグ２５がそれぞれ設けられ、各虎口エアバッグ２５はエアバルブ３にそれぞれ接続される。該内部ハウジング１１にはマッサージスペース１３の前端底面に前記指エアバッグ２１が設けられ、指エアバッグ２１の膨張部２１はエアバルブ３に接続され、マッサージスペース１３には指エアバッグ２１の後端の頂面に前記上部エアバッグ２２が設けられ、マッサージスペース１３には指エアバッグ２１の後端の底面に下部エアバッグ２３が設けられ、上部エアバッグ２２及び下部エアバッグ２３は対応して設置され、上部エアバッグ２２の指部２２１、中間部２２２、及び手首部２２３は１つのエアバルブ３にそれぞれ接続され、下部エアバッグ２３の指部２３１、中間部２３２、手首部２３３及び手のひら部２３４は１つのエアバルブ３にそれぞれ接続される。
【００１９】
図３及び図４に示すように、本考案のハンドマッサージャーの上部エアバッグ２２と下部エアバッグ２３の第１実施形態であり、上部エアバッグ２２の中間部２２２と、下部エアバッグ２３の指部２３１と、手首部２３３とがＳ字型の第１膨張部を形成して同時に膨張し又は収縮し、上部エアバッグ２２の指部２２１と、虎口エアバッグ２５と、下部エアバッグ２３の中間部２３２とがＳ字型の第２膨張部を形成して同時に膨張し又は収縮し、第１膨張部と第２膨張部は互い違いに膨張し、マッサージ時に、Ｓ字型の膨張しエアバッグが手を押し付け、手が伸ばされる。
【００２０】
図５及び図６に示すように、本考案のハンドマッサージャーの上部エアバッグ２２と下部エアバッグ２３の第２実施形態であり、上部エアバッグ２２の中間部２２２と下部エアバッグ２３の指部２３１とがＳ字型の第１膨張部を形成して同時に膨張し又は収縮し、上部エアバッグ２２の指部２２１と下部エアバッグ２３の中間部は第２膨張部を形成して同時に膨張し又は収縮し、第１膨張部と第２膨張部は互い違いに膨張する。マッサージ時に、Ｓ字型の膨張したエアバッグが手を押し付け、手が伸ばされる。
【００２１】
マッサージの快適性を高めるために、前記マッサージスペース１３内に前記エアバッグアセンブリを被覆する布カバーが更に設けられ、マッサージ時に、手が布カバーに接触し、肌に優しい効果を向上させる。
【００２２】
本考案の鍵は、エアバッグアセンブリ２を指エアバッグ２１、上部エアバッグ２２、下部エアバッグ２３、親指エアバッグ２４及び虎口エアバッグ２５に分割することである。マッサージスペース１３の前端に設けられた４つのＵ字型構造の指マッサージ部２１２が膨張する時に小指、薬指、中指、人差し指を覆い、標的となるように各指を１つずつにマッサージする。親指エアバッグ２４は親指を効果的に押圧してマッサージすることができ、上部エアバッグ２２、下部エアバッグ２３及び／又は虎口エアバッグ２５はＳ字型で互い違いに膨張する第１膨張部及び第２膨張部を形成して手の全体を押圧して、手を伸ばし、より良好なマッサージ効果を果たす。ハウジング１の両側にともに親指差し込み口１４及び２つのエアバッグ２５が設けられ、右手と左手の両方に同時に適用でき、使用しやすい。
【００２３】
本考案によるハンドマッサージャーは指、手のひら、手の甲及び手首を同時にマッサージすることができ、手の広範囲のマッサージを達成し、且つマッサージ効果が良好である。ハウジング１の両側にともに親指差し込み口１４が設けられ、右手と左手の両方に同時に適用でき、使用しやすい。
【００２４】
上記の実施例及び図面は本考案の製品の形態及び仕様を制限するものではなく、当業者によって行われる任意の適切な変更又は修飾は、いずれも本考案の実用新案登録範囲を逸脱しないものと見なすべきである。
ハンドマッサージャーであって、ハウジング、エアバッグアセンブリ、複数のエアバルブ、エアポンプ、ＰＣＢ基板及び電池を備え、前記エアポンプ、ＰＣＢ基板及び電池アセンブリはハウジング内に組み立てられ、複数のエアバルブはエアポンプに接続され、エアバルブ、エアポンプ及び電池アセンブリはＰＣＢ基板に接続され、前記ハウジングは前後に貫通しているマッサージスペースを有し、前記エアバッグアセンブリは指エアバッグ、上部エアバッグ及び下部エアバッグを含み、指エアバッグはエアバルブに接続されて且つハウジングのマッサージスペースの前端に設置され、４つのＵ字型構造の指マッサージ部を有し、前記上部エアバッグ及び下部エアバッグはそれぞれ少なくとも２つのマッサージ部を含み、各マッサージ部はそれぞれ１つのエアバルブに接続され、上部エアバッグと下部エアバッグのマッサージ部はＳ字型で互い違いに膨張する２組の第１膨張部及び第２膨張部で構成される。
【図１】
0003225727.tif 000003
【図２】
0003225727.tif 000004
【図３】
0003225727.tif 000005
【図４】
0003225727.tif 000006
【図５】
0003225727.tif 000007
【図６】
0003225727.tif 000008